(57)【要約】【課題】風量を片手で容易に調節することができるように改良された制気口ボックスを提供することを目的とする。【解決手段】制気口ボックス１０は中空のボックス１３を備える。中空のボックス１３は、送風ダクトの端部に接続されるインレット１２と、空調吹き出し口に接続されるアウトレット１１とを有する。インレット１２の直径部分に橋渡すように直線状の支軸１５が設けられている。インレット１２に、支軸１５を回動軸にして回動可能に、流す気体の風量を調節する円板形状のダンパー１４が取り付けられている。【選択図】図１
0003155210.tif 000002
【実用新案登録請求の範囲】
【請求項１】
空調機から送風ダクトを通って送られて来る気体を、風量を調節して空調吹き出し口から吹き出させる制気口ボックスであって、
前記送風ダクトの端部に接続される円形形状のインレットと前記空調吹き出し口に接続されるアウトレットとを有する中空のボックスと、
前記インレットの直径部分に橋渡すように設けられた直線状の支軸と、
前記インレットに設けられ、かつ前記支軸を回動軸にして回動可能に取り付けられた、流す前記気体の風量を調節する円板形状のダンパーと、を備えた制気口ボックス。
【請求項２】
前記ダンパーは、蝶ねじ及び蝶番を含む固定具で前記支軸に回動可能に取り付けられており、前記蝶ねじを締めることにより回動が止められるようになっている請求項１に記載の制気口ボックス。
【請求項３】
前記ボックスは直方体形状であり、前記インレットと前記アウトレットとは隣接する面にそれぞれ互いに直交する方向に向くように設けられている請求項１又は２に記載の制気口ボックス。
【請求項４】
前記アウトレットは、円形形状又は長方形形状である請求項１から３のいずれか１項に記載の制気口ボックス。
【請求項５】
前記支軸の軸心方向は、前記アウトレットが向く方向と平行である、請求項１から４のいずれか１項に記載の制気口ボックス。
【請求項６】
前記ボックスはグラスウールで形成されており、コーナが亜鉛引鉄板の補強材で補強されている請求項１〜５に記載の制気口ボックス。
【考案の詳細な説明】
【技術分野】
【０００１】
本考案は一般に制気口ボックスに関するものであり、より特定的には風量の調節操作を手軽にできるように改良された制気口ボックスに関する。
【背景技術】
【０００２】
従来、空調設備には、図５に示すようなアネモ（Anemostat（登録商標））吹き出し口１がよく用いられている。アネモ吹き出し口１とは、円錐状の方向板を３〜４層重ねた天井吹き出し口（本明細書では空調吹き出し口ともいう）のことである。円錐状の羽のため、吹き出した空気がよく拡散するので、天井の低い部屋でも広く使われている。
【０００３】
図６を参照して、例えば天井裏では、アネモ吹き出し口１と空調機２との間は、送風ダクトであるフレキシブルダクト３で接続されている。フレキシブルダクト３の一方端は空調機２に接続されるか、又は分岐管４に接続される。フレキシブルダクト３の他方端は本考案に関連する制気口ボックス５に接続される。制気口ボックス５は、空調機２からフレキシブルダクト３を通って送られて来る気体の風量を調節して、アネモ吹き出し口１から吹き出させる働きをするものである。
【考案の概要】
【考案が解決しようとする課題】
【０００４】
従来の空調設備は以上のように構成されていた。しかしながら、図６を再び参照して、従来の制気口ボックス５の内部の風量調節機構は複雑になっており、施工業者が片手で容易に風量を調節できるものでなかった。
【０００５】
本考案は、このような課題を解決するためになされたもので、片手で容易に風量を調節することができるように改良された制気口ボックスを提供することを目的とする。
【課題を解決するための手段】
【０００６】
本考案は、空調機から送風ダクトを通って送られて来る気体を、風量を調節して空調吹き出し口から吹き出させる制気口ボックスに係り、中空のボックスを備える。中空のボックスは、上記送風ダクトの端部に接続される円形形状のインレットと、上記空調吹き出し口に接続されるアウトレットとを有する。上記インレットの直径部分に橋渡すように直線状の支軸が設けられている。上記インレットに円板形状のダンパーが設けられている。このダンパーは、上記支軸を回動軸にして回動可能に取り付けられ、流す気体の風量を調節する。
【０００７】
上記ダンパーは、蝶ねじ及び蝶番を含む固定具で上記支軸に回動可能に取り付けられており、上記蝶ねじを締めることにより回動が止められるようになっているのが好ましい。
【０００８】
上記ボックスは直方体形状（立方体形状を含む）であり、上記インレットと上記アウトレットとは隣接する面にそれぞれ互いに直交する方向に向くように設けられているのが好ましい。
【０００９】
上記アウトレットは、円形形状又は長方形形状であるのが好ましい。
【００１０】
上記支軸の軸心方向は、上記アウトレットが向く方向と平行であるのが好ましい。これらが直交する場合に比べて操作が容易となる。
【００１１】
上記ボックスはグラスウールで形成されており、コーナが亜鉛引鉄板、ＳＵＳ等の補強材で補強されているのが好ましい。
【考案の効果】
【００１２】
本考案に係る制気口ボックスによれば、腕を、吹き出し口から制気口ボックス内に潜り込ませて、手動でダンパーを容易に動かせることができる。その結果、施工業者が片手で容易に風量を調節することができる。
【図面の簡単な説明】
【００１３】
【図１】実施例１に係る制気口ボックスの斜視図である。
【図２】実施例１に係る制気口ボックスのへ変形例の斜視図である。
【図３】本考案の動作を説明する図である。
【図４】実施例２に係る制気口ボックスの斜視図である。
【図５】アネモ吹き出し口を説明する図である。
【図６】天井裏における、アネモ吹き出し口と空調機との間をフレキシブルダクトで接続している様子を説明する図である。
【考案を実施するための形態】
【００１４】
以下、本考案の実施の形態を、添付図面を参照して説明する。
【実施例１】
【００１５】
図１は、実施例１にかかる制気口ボックスの斜視図である。制気口ボックス１０は、空調機から送風ダクト(例えばフレキシブルダクト)を通って送られて来る気体を、風量を調節して空調吹き出し口（例えばアネモ吹き出し口）から吹き出させるものである。制気口ボックス１０は中空のボックス１３を備える。ボックス１３はグラスウールで形成されており、コーナが亜鉛引鉄板、ＳＵＳ等の補強材１８で補強されている。ボックス１３は、送風ダクト（図示せず）の端部に接続されるインレット１２と、空調吹き出し口に接続されるアウトレット１１とを有する。ボックス１３は直方体形状であり、インレット１２とアウトレット１１とは隣接する面にそれぞれ互いに直交する方向に向くように設けられる。インレット１２の直径部分に橋渡すように、直線状の支軸１５が設けられている。支軸１５は、インレット１２の円周部分の内壁面に溶接され、固定されている。インレット１２に円板形状のダンパー１４が設けられている。ダンパー１４は、支軸１５を回動軸にして回動可能に取り付けられている。ダンパー１４は、支軸１５を回動軸にして回動することにより、流す気体（例えば温風又は冷風）の風量を調節する。
【００１６】
ダンパー１４は、インレット１２の径より小さい径を有する円板である。インレット１２の外壁面には、抜け止めのために湾曲させて作られた盛り上がり部であるリブ１２ａが設けられているが、本願考案にとって必須の構成要素ではない。
【００１７】
ダンパー１４は、蝶ねじ１６及び蝶番１７を含む固定具で、支軸１５に回動可能に取り付けられており、蝶ねじ１６を締めることにより回動が止められるようになっている。蝶番１７は、支軸１５を間に挟んで板状のダンパー１４に溶接で固定されており、ビスで固定することも可能である。
【００１８】
支軸１５の軸心方向は、アウトレット１１が向く方向と平行であるが、図２に示す変形例のように、アウトレット１１が向く方向と直交してもよい。なお、操作の点では、図１に示す方が、操作は容易である。
【００１９】
次に動作について説明する。
【００２０】
施工業者が空調の風量を調節したい場合がある。このとき、例えば図３（Ａ）に示すような位置にダンパー１４があるとする。風量が多いので少なくしたい場合、図３（Ｂ）のように、アネモ吹き出し口（図示せず）を取り外し、アウトレット１１から制気口ボックス内に腕１９を潜り込ませて、蝶ねじ１６を緩め、ダンパー１４の固定を解き、ダンパー１４を支軸１５を回動軸にして、インレット１２を塞ぐ方向（図中矢印方向）に回動させる。その後、蝶ねじ１６を支軸１５に向けて締め付け、ダンパー１４の動きを固定する。これにより、風量を減らすことができる。風量を増加させる場合は、ダンパー１４を逆の方向に回動させる。
【実施例２】
【００２１】
図４は、実施例２に係る制気口ボックスの斜視図である。実施例１では、アウトレット１１は、円形形状であったが、アウトレット１１は図のように長方形形状（正方形を含む）であってもよい。フレキシブルダクト（図示せず）に接続されるインレット１２は円形形状である等、その他の構造は、実施例１と同じであるので、同一部分には同一の参照番号を付し、その説明を繰り返さない。
【００２２】
上記実施例では、空調吹き出し口にアネモ吹き出し口を例示したが、この考案はこれに限られるものでなく、他の形状の吹き出し口であってもよい。
【００２３】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２４】
本考案の制気口ボックスは、手動で容易に動かせることができる。その結果、施工業者が片手で容易に風量を調節することができ、健康的な生活を保証する空調設備を実現できる。
【符号の説明】
【００２５】
１       アネモ吹き出し口
２       空調機
３       フレキシブルダクト
４       分岐管
５，１０ 制気口ボックス
１１     アウトレット
１２     インレット
１２ａ   リブ
１３     ボックス
１４     ダンパー
１５     支軸
１６     蝶ねじ
１７     蝶番
１８     補強材
１９     腕
【図１】
0003155210.tif 000003
【図２】
0003155210.tif 000004
【図３】
0003155210.tif 000005
【図４】
0003155210.tif 000006
【図５】
0003155210.tif 000007
【図６】
0003155210.tif 000008
【手続補正書】
【提出日】平成21年9月2日(2009.9.2)
【手続補正１】
【補正対象書類名】実用新案登録請求の範囲
【補正対象項目名】請求項６
【補正方法】変更
【補正の内容】
【請求項６】
前記ボックスはグラスウールで形成されており、コーナが亜鉛引鉄板の補強材で補強されている請求項１から５のいずれか１項に記載の制気口ボックス。